(57)【要約】【課題】  検者が被検者に対して視標を容易に呈示し、効率よく検眼を行うことができる自覚式検眼装置を提供する。【解決手段】  被検眼の光学特性を自覚的に測定する自覚式検眼装置であって、被検眼に視標を表示する視標表示手段と、検者が操作する操作手段であって、視標表示手段の画面上に表示された少なくとも１つ以上の視標に対して、視標のうちの所定の位置を指定するための操作手段と、検者による操作手段の操作で指定された所定の位置に基づいて、所定の位置に関する識別を被検者が行うための識別情報を、視標表示手段に表示させる表示制御手段と、を備える。【選択図】      図１
2020179056.tif 000002
【特許請求の範囲】
【請求項１】
被検眼の光学特性を自覚的に測定する自覚式検眼装置であって、
前記被検眼に視標を表示する視標表示手段と、
検者が操作する操作手段であって、前記視標表示手段の画面上に表示された少なくとも１つ以上の前記視標に対して、前記視標のうちの所定の位置を指定するための操作手段と、
前記検者による前記操作手段の操作で指定された前記所定の位置に基づいて、前記所定の位置に関する識別を被検者が行うための識別情報を、前記視標表示手段に表示させる表示制御手段と、
を備えることを特徴とする自覚式検眼装置。
【請求項２】
請求項１の自覚式検眼装置において、
前記操作手段は、前記視標に対応する対応情報を表示可能な操作用表示手段を有し、前記検者が前記操作用表示手段に表示された前記対応情報を指定することで、前記視標表示手段に表示される前記少なくとも１つ以上の視標に対して、前記所定の位置を指定することを特徴とする自覚式検眼装置。
【請求項３】
請求項２の自覚式検眼装置において、
前記対応情報は、前記視標を模した操作用視標画像であって、
前記操作手段は、前記検者が前記操作用表示手段に表示された前記操作用視標画像に対して位置を指定することで、前記視標表示手段に表示される前記少なくとも１つ以上の視標に対して、前記所定の位置を指定することを特徴とする自覚式検眼装置。
【請求項４】
請求項３の自覚式検眼装置において、
前記操作用表示手段は、前記視標に基づいて、前記少なくとも１つ以上の視標と同一の視標を、前記操作用視標画像として表示することを特徴とする自覚式検眼装置。
【請求項５】
請求項３の自覚式検眼装置において、
前記操作用表示手段は、前記視標に基づいて、前記少なくとも１つ以上の視標における一部の視標を、前記操作用視標画像として表示することを特徴とする自覚式検眼装置。
【請求項６】
請求項２〜５のいずれかの自覚式検眼装置において、
前記表示制御手段は、前記操作手段の操作によって前記所定の位置が指定されたことに連動して、前記識別情報を前記視標表示手段に表示させることを特徴とする自覚式検眼装置。
【請求項７】
請求項２〜６のいずれかの自覚式検眼装置において、
前記表示制御手段は、さらに、前記操作手段により指定された前記対応情報に基づいて、前記検者が前記所定の位置を識別するための検者用識別情報を、前記操作用表示手段に表示させることを特徴とする自覚式検眼装置。
【請求項８】
請求項１〜７のいずれかの自覚式検眼装置において、
前記識別情報は、前記所定の位置を強調するための情報であることを特徴とする自覚式検眼装置。
【請求項９】
請求項１〜８のいずれかの自覚式検眼装置において、
前記被検眼の光学特性を自覚的に測定するための自覚式測定手段を備え、
前記自覚式測定手段は、前記被検眼に向けて前記視標表示手段から出射された視標光束を投光する投光光学系と、前記投光光学系の光路中に配置され、前記視標光束の光学特性を変化させる矯正光学系と、を有することを特徴とする自覚式検眼装置。
【請求項１０】
請求項９の自覚式検眼装置において、
前記視標表示手段と、前記自覚式測定手段における少なくとも前記投光光学系と、が筐体内に収納されていることを特徴とする自覚式検眼装置。
【発明の詳細な説明】
【技術分野】
【０００１】
本開示は、被検眼の光学特性を自覚的に測定する自覚式検眼装置に関する。
【背景技術】
【０００２】
被検眼の光学特性を自覚的に測定する自覚式検眼装置の一例として、被検者の眼前に光学部材（例えば、球面レンズ、円柱レンズ、等）を配置し、被検者に光学部材を介して視標を呈示することによって、被検眼の光学特性（眼屈折力）を測定する装置が知られている。
【先行技術文献】
【特許文献】
【０００３】
【特許文献１】特開平５−１７６８９３号公報
【発明の概要】
【発明が解決しようとする課題】
【０００４】
自覚式検眼は、検者が被検者に様々な視標を呈示してその見え具合を問い、被検者が検者の問いに答えることで進められる。検眼内容によっては、被検者に複雑な視標を呈示したり、複数の視標を同時に呈示したりすることがあるが、このとき、検者は被検者に観察させたい視標の位置等を説明しづらいことがあった。
【０００５】
本開示は、上記従来技術に鑑み、検者が被検者に対して視標を容易に呈示し、効率よく検眼を行うことができる自覚式検眼装置を提供することを技術課題とする。
【課題を解決するための手段】
【０００６】
上記課題を解決するために、本開示は、以下のような構成を備えることを特徴とする。
【０００７】
（１）本開示の第１態様に係る自覚式検眼装置は、被検眼の光学特性を自覚的に測定する自覚式検眼装置であって、前記被検眼に視標を表示する視標表示手段と、検者が操作する操作手段であって、前記視標表示手段の画面上に表示された少なくとも１つ以上の前記視標に対して、前記視標のうちの所定の位置を指定するための操作手段と、前記検者による前記操作手段の操作で指定された前記所定の位置に基づいて、前記所定の位置に関する識別を被検者が行うための識別情報を、前記視標表示手段に表示させる表示制御手段と、を備える。
【図面の簡単な説明】
【０００８】
【図１】検眼装置の外観図である。
【図２】測定部を示す図である。
【図３】検眼装置の内部を正面方向から見た概略構成図である。
【図４】検眼装置の内部を側面方向から見た概略構成図である。
【図５】検眼装置の内部を上面方向から見た概略構成図である。
【図６】検眼装置の制御系を示す図である。
【図７】検者が操作するモニタと被検者が観察するディスプレイを示す図である。
【図８】指定位置に基づいた識別マークの表示を説明する図である
【図９】指定位置の変化に連動させたポインタの表示を説明する図である。
【図１０】指定位置の変化に連動させた描画線の表示を説明する図である。
【発明を実施するための形態】
【０００９】
＜概要＞
本開示の実施形態に係る自覚式検眼装置（以下、検眼装置と省略する）の概要について説明する。以下の＜＞にて分類された項目は、独立または関連して利用されうる。
【００１０】
本実施形態における検眼装置は、被検眼の光学特性を自覚的に測定する。被検眼の光学特性は、被検眼の眼屈折度（例えば、被検眼の球面度数、円柱度数、乱視軸角度、等）、コントラスト感度、両眼視機能（例えば、斜位量、立体視機能、等）、等の少なくともいずれかであってもよい。
【００１１】
＜視標表示手段＞
本実施形態において、検眼装置は、視標表示手段（例えば、ディスプレイ３１）を備える。視標表示手段は、被検眼に視標を表示する。視標表示手段は、被検眼に少なくとも１つ以上の視標を表示することが可能であればよい。
【００１２】
例えば、視標表示手段としては、ディスプレイ（例えば、ディスプレイ３１）を用いることができる。ディスプレイは、ＬＣＯＳ（Liquid crystal on silicon）、ＬＣＤ（Liquid Crystal Display）、有機ＥＬ（Electro Luminescence）等であってもよい。
【００１３】
＜操作手段＞
本実施形態において、検眼装置は、操作手段（例えば、モニタ４）を備える。検眼装置は、検眼装置に設けられた操作手段を備えてもよい。この場合、操作手段には、ディスプレイ等を用いてもよい。また、検眼装置は、検眼装置に有線通信（例えば、光ファイバー、有線ＬＡＮ、等）または無線通信（例えば、Wi-Fi（登録商標）、Bluetooth（登録商標）、等）を介して接続された操作手段を備えてもよい。この場合、操作手段には、マウス、キーボード、ジョイスティック、コントローラ、端末装置（一例として、携帯端末、タブレット端末、スマートフォン、等）、等の少なくともいずれかを用いてもよい。操作手段は、検者が操作する操作手段であって、視標表示手段の画面上に表示された少なくとも１つ以上の視標に対して、所定の位置を指定するための操作手段であってもよい。
【００１４】
操作手段は、操作用表示手段を有する構成としてもよい。操作用表示手段は、視標表示手段の画面上に表示された少なくとも１つ以上の視標に対応する対応情報を表示可能な操作用表示手段である。検者は、操作手段が操作用表示手段を有する構成であることによって、操作用表示手段を用いて対応情報を容易に確認することができ、自覚式測定がより効率的に進められる。
【００１５】
なお、視標表示手段の画面上に表示された視標に対応する対応情報とは、視標表示手段に表示される視標を表すための記号（例えば、図形、文字、数字、等の少なくともいずれか）であってもよい。一例としては、視標表示手段の画面上に表示された視標の位置を文字で表した情報（例えば、左、中央、右、等）であってもよい。また、一例としては、視標表示手段の画面上に表示された視標を順に番号で表した情報であってもよい。このような場合、操作手段は、操作用表示手段に表示された対応情報を検者が指定することで、視標表示手段に表示される少なくとも１つ以上の視標に対して、所定の位置を指定することができる。
【００１６】
また、視標表示手段の画面上に表示された視標に対応する対応情報とは、視標表示手段に表示される視標を模した操作用の視標画像（例えば、検査視標画像２２０）であってもよい。このような場合、操作手段は、操作用表示手段に表示された操作用の視標画像に対する位置を検者が指定することで、視標表示手段に表示される少なくとも１つ以上の視標に対して、所定の位置を指定することができる。検者と被検者がともに視標を観察することになるため、検者は被検者に対して視標の位置等を説明しやすくなる。
【００１７】
操作手段が有する操作用表示手段は、視標表示手段の画面上に表示された少なくとも１つ以上の視標と同一の視標を、操作用の視標画像として表示してもよい。この場合、操作用表示手段に表示される操作用の視標画像は、視標表示手段に表示される視標と同一の大きさの視標画像であってもよい。また、この場合、操作用表示手段に表示される操作用の視標画像は、視標表示手段に表示される視標と、縦方向及び横方向の比率が同一となるように、拡大あるいは縮小した視標画像であってもよい。すなわち、操作用表示手段に表示される操作用の視標画像は、視標表示手段に表示される視標と相対的に同一の大きさの視標画像であってもよい。被検者が観察する視標と、検者が観察する操作用の視標画像と、が共通化されることで、検者は直観的な操作で識別情報を表示させることができる。
【００１８】
また、操作手段が有する操作用表示手段は、視標表示手段の画面上に表示された少なくとも１つ以上の視標における一部の視標を、操作用視標画像として表示してもよい。一例として、視標表示手段の画面上に１つの視標が表示されていた場合等には、１つの視標の一部分を拡大した視標を、操作用視標画像として表示してもよい。また、一例として、視標表示手段の画面上に複数の視標が表示されていた場合等には、複数の視標における所定の行の視標及び所定の列の視標の少なくともいずれかを、操作用視標画像として表示してもよい。これによって、識別情報を表示させる際に必要な視標画像のみを表示させておくことができ、誤操作や誤選択の可能性を軽減させることができる。
【００１９】
＜表示制御手段＞
本実施形態において、検眼装置は、表示制御手段（例えば、制御部７０）を備える。表示制御手段は、検者による操作手段の操作で指定された所定の位置に基づいて、所定の位置に関する識別を被検者が行うための識別情報を、視標表示手段に表示させる。例えば、表示制御手段は、検者により指定された位置（例えば、特定の位置座標、等）に、識別情報を表示させてもよい。また、例えば、表示制御手段は、検者により指定された位置がもつ情報に基づいて決定される位置に、識別情報を表示させてもよい。これによって、検者は、識別情報を補助的に用いて、被検者に注視してほしい視標等を容易に伝えることができる。
【００２０】
表示制御手段は、検者による操作手段の操作によって所定の位置が指定されたことに連動して、識別情報を視標表示手段に表示させてもよい。例えば、所定の位置が指定されると同時（略同時）に、識別情報を表示させるための信号が発せられ、この信号に基づいて識別情報を視標表示手段に表示させる構成としてもよい。これによって、検者による所定の位置の指定に対して、所定の位置に基づく識別情報の表示がリアルタイムに行われるので、被検者への説明に合わせて識別情報を表示させることができる。
【００２１】
また、表示制御手段は、検者による操作手段の操作によって所定の位置が指定された後、所定のタイミングで、識別情報を視標表示手段に表示させてもよい。例えば、所定の位置が指定されてから一定の時間が経過したとき、検者が操作手段を操作したとき、等の少なくともいずれかのタイミングにおいて、識別情報を表示させるための信号が発せられ、この信号に基づいて識別情報を視標表示手段に表示させる構成としてもよい。
【００２２】
なお、被検者が所定の位置に関する識別を行うための識別情報とは、被検者が所定の位置そのものを識別するための情報であってもよい。また、被検者が所定の位置に関する識別を行うための識別情報とは、被検者が所定の位置に基づく所定の領域等を識別するための情報であってもよい。
【００２３】
本実施形態において、識別情報は、検者による操作手段の操作で指定された所定の位置を強調するための情報であってもよい。例えば、識別情報は、検者により指定された所定の位置を強調するために、所定の位置に表示される記号であってもよい。また、例えば、識別情報は、検者により指定された所定の位置を強調するために、所定の位置の変化に連動して移動可能に表示される記号であってもよい。この場合、一例としては、所定の位置の変化に連動して、ポインタやアイコンが移動可能に表示されてもよい。また、例えば、識別情報は、検者により指定された所定の位置を強調するために、所定の位置の変化に連動して書き込まれる描画が表示されてもよい。この場合、一例としては、所定の位置の変化に連動して、線や図形が描画され、表示されてもよい。これによって、識別情報を視覚的にわかりやすく表示することができる。
【００２４】
本実施形態において、表示制御手段は、さらに、検者による操作手段の操作により指定された対応情報（すなわち、前述した視標を表すための記号、操作用の視標画像、等）に基づいて、検者が所定の位置を識別するための検者用の識別情報を、操作用表示手段に表示させるようにしてもよい。この場合、検者は、どの視標に対して位置を指定し、識別情報を表示させたかを容易に把握することができる。
【００２５】
＜自覚式測定手段＞
本実施形態において、検眼装置は、自覚式測定手段（例えば、自覚式測定光学系２５）を備えてもよい。自覚式測定手段は、被検眼の光学特性を自覚的に測定するための測定手段である。
【００２６】
自覚式測定手段は、投光光学系（例えば、投光光学系３０）を備えてもよい。投光光学系は、被検眼に向けて視標表示手段から出射された視標光束を投光する。投光光学系は、被検眼に向けて視標表示手段から出射された視標光束を導光する少なくとも１つの光学部材を有してもよい。
【００２７】
自覚式測定手段は、矯正光学系（例えば、矯正光学系６０）を備えてもよい。矯正光学系は、投光光学系の光路中に配置され、視標光束の光学特性（例えば、球面度数、円柱度数、円柱軸、偏光特性、及び、収差量、等の少なくともいずれか）を変化させる。
【００２８】
＜矯正光学系＞
矯正光学系は、視標光束の光学特性を変更可能な構成であればよい。
【００２９】
例えば、矯正光学系は、光学素子を制御することで、視標光束の球面度数、円柱度数、及び乱視軸角度、等の少なくともいずれかを変更可能としてもよい。光学素子は、球面レンズ、円柱レンズ、クロスシリンダレンズ、ロータリプリズム、波面変調素子、可変焦点レンズ、等の少なくともいずれかであってもよい。もちろん、これらの光学素子とは異なる光学素子であってもよい。
【００３０】
また、例えば、矯正光学系は、被検眼に対する視標の呈示位置（呈示距離）を光学的に変えることで、被検眼の球面度数を矯正してもよい。この場合、視標の呈示位置を光学的に変更するために、視標表示手段を光軸方向に移動させる構成としてもよい。また、この場合、視標の呈示位置を光学的に変更するために、光路中に配置された光学素子（例えば、球面レンズ等）を光軸方向に移動させる構成としてもよい。
【００３１】
なお、矯正光学系は、光学素子を制御する構成と、視標表示手段を光軸方向に移動させる構成と、光路中に配置された光学素子を光軸方向に移動させる構成と、を組み合わせた構成であってもよい。
【００３２】
本実施形態において、矯正光学系は、被検眼の眼前に光学素子を配置する眼屈折力測定ユニット（フォロプタ）であってもよい。例えば、眼屈折力測定ユニットは、可変焦点レンズを有し、可変焦点レンズの屈折力を変化させる構成であってもよい。また、例えば、眼屈折力測定ユニットは、複数の光学素子が同一円周上に配置されたレンズディスクと、レンズディスクを回転させるための駆動手段（例えば、モータ）と、を有し、駆動手段の駆動によって、光学素子を電気的に切り換える構成であってもよい。もちろん、眼屈折力測定ユニットは、可変焦点レンズと、レンズディスク及び駆動手段と、を有する構成であってもよい。これらの構成を備える場合、被検眼に向けた視標光束は、眼屈折力測定ユニットを介して投影される。
【００３３】
また、本実施形態において、矯正光学系は、視標表示手段と、投光光学系から視標光束を被検眼に向けて導光するための光学部材と、の間に光学素子を配置して、光学素子を制御することで、視標光束の光学特性を変更する構成であってもよい。すなわち、矯正光学系は、ファントムレンズ屈折計（ファントム矯正光学系）の構成であってもよい。この場合、例えば、矯正光学系によって矯正された視標光束は、光学部材を介して被検眼に導光される。
【００３４】
本実施形態において、検眼装置は、前述の視標表示手段と、自覚式測定手段における少なくとも投光光学系と、をその筐体内に収納する構成であってもよい。つまり、検眼装置は、視標表示手段と投光光学系を筐体内に収納する構成でも、視標表示手段と投光光学系と矯正光学系を筐体内に収納する構成でもよい。このような構成において、検者は、視標表示手段に表示された視標を直接的に確認することができないが、視標に対応する対応情報を操作用表示手段で確認できることで、視標に対して識別情報を表示する位置等が判断しやすくなり、被検者に視標の位置等を容易に伝えることができる。
【００３５】
＜実施例＞
本実施形態に係る自覚式検眼装置の一実施例について説明する。
【００３６】
図１は、自覚式検眼装置の外観図である。例えば、自覚式検眼装置（以下、検眼装置）１は、筐体２、呈示窓３、モニタ４、顎台５、基台６、前眼部撮像光学系１００、等を備える。
【００３７】
筐体２は、基台６に固定される。筐体２の内部には、後述する測定部７が設けられる。呈示窓３は、被検者の眼（被検眼Ｅ）に視標を呈示するために用いる。モニタ４は、被検眼Ｅの光学特性の測定結果等を表示する。モニタ４は、タッチパネル機能をもつディスプレイである。すなわち、モニタ４が操作部（コントローラ）として機能する。なお、モニタ４はタッチパネル式でなくてもよく、モニタ４と操作部とを別に設ける構成であってもよい。この場合には、マウス、ジョイスティック、キーボード、携帯端末、等の少なくともいずれかを操作部として用いてもよい。モニタ４から入力された操作指示に応じた信号は、後述する制御部７０に出力される。顎台５は、基台６に固定される。顎台５は、被検眼Ｅと検眼装置１との距離を一定に保つために用いる。なお、顎台５に限定されず、額当て、顔当て、等を用いて、被検眼Ｅと検眼装置１との距離を一定に保つ構成としてもよい。
【００３８】
前眼部撮像光学系１００は、被検者の顔を撮像するために用いる。前眼部撮像光学系１００は、図示なき撮像素子とレンズで構成される。前眼部撮像光学系１００は、左眼ＥＬ及び右眼ＥＲの少なくとも一方を撮像して、その前眼部画像を取得する。前眼部撮像光学系１００による前眼部の撮像は、後述する制御部７０に制御される。また、前眼部撮像光学系１００により取得された前眼部画像は、後述する制御部７０に解析される。
【００３９】
＜測定部＞
測定部７からの視標光束は、呈示窓３を介して被検眼Ｅに導光される。測定部７は、左眼用測定部７Ｌと右眼用測定部７Ｒを備える。測定部７は、左右一対の後述する自覚式測定部と、左右一対の後述する他覚式測定部と、を有する。本実施例における左眼用測定部７Ｌと右眼用測定部７Ｒは、同一の部材で構成される。もちろん、左眼用測定部７Ｌと右眼用測定部７Ｒは、その少なくとも一部が異なる部材で構成されてもよい。
【００４０】
図２は、測定部７を示す図である。図２では、測定部７として、左眼用測定部７Ｌを例に挙げる。右眼用測定部７Ｒは、左眼用測定部７Ｌと同様の構成であるため省略する。例えば、左眼用測定部７Ｌは、自覚式測定光学系２５、他覚式測定光学系１０、第１指標投影光学系４５、第２指標投影光学系４６、観察光学系５０、等を備える。
【００４１】
＜自覚式測定光学系＞
自覚式測定光学系２５は、被検眼Ｅの光学特性を自覚的に測定する自覚式測定部の構成の一部として用いられる（詳細は後述する）。本実施例では、被検眼Ｅの光学特性として、被検眼Ｅの眼屈折力を測定する自覚式測定部を例に挙げる。なお、被検眼Ｅの光学特性は、眼屈折力の他、コントラスト感度、両眼視機能（例えば、斜位量、立体視機能、等）、等であってもよい。例えば、自覚式測定光学系２５は、投光光学系（視標投光系）３０、矯正光学系６０、及び、補正光学系９０、で構成される。
【００４２】
＜投光光学系＞
投光光学系３０は、被検眼Ｅに向けて視標光束を投影する。例えば、投光光学系３０は、ディスプレイ３１、投光レンズ３３、投光レンズ３４、反射ミラー３６、ダイクロイックミラー３５、ダイクロイックミラー２９、対物レンズ１４、等を備える。
【００４３】
ディスプレイ３１には、視標（固視標、検査視標、等）が表示される。ディスプレイ３１から出射した視標光束は、投光レンズ３３、投光レンズ３４、反射ミラー３６、ダイクロイックミラー３５、ダイクロイックミラー２９、対物レンズ１４、の順に光学部材を経由して、被検眼Ｅに投影される。
【００４４】
＜矯正光学系＞
矯正光学系６０は、投光光学系３０の光路中に配置される。また、矯正光学系６０は、ディスプレイ３１から出射した視標光束の光学特性を変化させる。例えば、矯正光学系６０は、乱視矯正光学系６３、駆動機構３９、等を備える。
【００４５】
乱視矯正光学系６３は、被検眼Ｅの円柱度数や乱視軸角度を矯正するために用いる。乱視矯正光学系６３は、投光レンズ３３と投光レンズ３４の間に配置される。乱視矯正光学系６３は、焦点距離の等しい、２枚の正の円柱レンズ６１ａと円柱レンズ６１ｂで構成される。円柱レンズ６１ａと円柱レンズ６１ｂは、回転機構６２ａと回転機構６２ｂの駆動によって、光軸Ｌ２を中心として、各々が独立に回転する。なお、本実施例では、乱視矯正光学系６３として、円柱レンズ６１ａと円柱レンズ６１ｂを用いる構成を例に挙げて説明したがこれに限定されない。乱視矯正光学系６３は、円柱度数、乱視軸角度、等を矯正できる構成であればよい。一例としては、投光光学系３０の光路に矯正レンズを出し入れしてもよい。
【００４６】
駆動機構３９は、モータ及びスライド機構からなる。駆動機構３９は、後述する駆動ユニット９５を光軸Ｌ２方向に移動させることで、ディスプレイ３１を光軸Ｌ２方向に移動させる。他覚式測定では、ディスプレイ３１を移動させることで、被検眼Ｅに雲霧をかけることができる。自覚式測定では、ディスプレイ３１を移動させることで、被検眼Ｅに対する視標の呈示位置（呈示距離）を光学的に変更し、被検眼Ｅの球面度数を矯正することができる。すなわち、本実施例では、ディスプレイ３１の位置を変更することで、被検眼Ｅの球面度数を矯正する球面矯正光学系が構成されている。なお、球面矯正光学系の構成は、本実施例とは異なっていてもよい。例えば、多数の光学素子を光路中に配置することで、球面度数を矯正してもよい。また、例えば、レンズを光路中に配置し、レンズを光軸方向に移動させることで、球面度数を矯正してもよい。
【００４７】
なお、本実施例では、球面度数、円柱度数、及び乱視軸角度を矯正する矯正光学系が例示されている。しかし、矯正光学系は、他の光学特性（例えば、プリズム値、等）を矯正してもよい。プリズム値が矯正されることで、被検眼が斜位眼であっても、被検眼に視標光束が適切に投影される。
【００４８】
また、本実施例では、円柱度数及び乱視軸角度を矯正する乱視矯正光学系６３と、球面度数を矯正する駆動機構３９が別で設けられている。しかし、球面度数、円柱度数、及び乱視軸角度が同一の構成によって矯正されてもよい。例えば、波面を変調させる光学系によって、球面度数、円柱度数、及び乱視軸角度が矯正されてもよい。また、複数の光学素子（例えば、球面レンズ、円柱レンズ、および分散プリズム等の少なくともいずれか）が同一円周上に配置されたレンズディスクと、レンズディスクを回転させるアクチュエータが、矯正光学系として用いられてもよい。この場合、レンズディスクが回転されて、光軸Ｌ２上に位置する光学素子が切り替えられることで、種々の光学特性が矯正される。また、光軸Ｌ２上に配置された光学素子（例えば、円柱レンズ、クロスシリンダレンズ、およびロータリプリズム等の少なくともいずれか）が、アクチュエータによって回転されてもよい。
【００４９】
＜補正光学系＞
補正光学系９０は、対物レンズ１４と偏向ミラー８１（後述）の間に配置される。補正光学系９０は、自覚式測定で生じる光学収差（例えば、非点収差、等）を補正するために用いる。補正光学系９０は、円柱度数と乱視軸角度を調整することで、非点収差を補正する。補正光学系９０は、焦点距離の等しい、２枚の正の円柱レンズ９１ａと円柱レンズ９１ｂで構成される。円柱レンズ９１ａと円柱レンズ９１ｂは、回転機構９２ａと回転機構９２ｂの駆動によって、光軸Ｌ３を中心として、各々が独立に回転する。なお、本実施例では、補正光学系９０として、２枚の正の円柱レンズ９１ａと円柱レンズ９１ｂを用いる構成を例に挙げて説明したがこれに限定されない。補正光学系９０は、非点収差を矯正できる構成であればよい。例えば、この場合には、光軸Ｌ３に補正レンズを出し入れしてもよい。
【００５０】
＜他覚式測定光学系＞
他覚式測定光学系１０は、被検眼の光学特性を他覚的に測定する他覚式測定部の構成の一部として用いられる（詳細は後述する）。本実施例では、被検眼Ｅの光学特性として、被検眼Ｅの眼屈折力を測定する他覚式測定部を例に挙げて説明する。なお、被検眼Ｅの光学特性は、眼屈折力の他、眼軸長、角膜形状、等であってもよい。例えば、他覚式測定光学系１０は、投影光学系１０ａ、受光光学系１０ｂ、及び、補正光学系９０、で構成される。
【００５１】
投影光学系（投光光学系）１０ａは、被検眼Ｅの瞳孔中心部を介して、被検眼Ｅの眼底にスポット状の測定指標を投影する。例えば、投影光学系１０ａは、光源１１、リレーレンズ１２、ホールミラー１３、プリズム１５、ダイクロイックミラー３５、ダイクロイックミラー２９、対物レンズ１４、等を備える。
【００５２】
光源１１は、測定光束を出射する。光源１１は、被検眼Ｅの眼底と共役な関係となっている。ホールミラー１３のホール部は、被検眼Ｅの瞳孔と共役な関係となっている。プリズム１５は、光束偏向部材である。プリズム１５は、被検眼Ｅの瞳孔と共役な位置から外れた位置に配置され、プリズム１５を通過する測定光束を光軸Ｌ１に対して偏心させる。プリズム１５は、光軸Ｌ１を中心として、駆動部（モータ）２３により回転駆動される。ダイクロイックミラー３５は、他覚式測定光学系１０の光路と、後述する自覚式測定光学系２５の光路と、を共通にする。すなわち、ダイクロイックミラー３５は、他覚式測定光学系１０の光軸Ｌ１と、自覚式測定光学系２５の光軸Ｌ２と、を同軸にする。ダイクロイックミラー２９は、光路分岐部材である。ダイクロイックミラー２９は、投影光学系１０ａによる測定光束と、自覚式測定光学系２５による測定光束と、を反射して被検眼Ｅに導く。
【００５３】
受光光学系１０ｂは、被検眼Ｅの眼底で反射された眼底反射光束を、被検眼Ｅの瞳孔周辺部を介してリング状に取り出す。例えば、受光光学系１０ｂは、対物レンズ１４、ダイクロイックミラー２９、ダイクロイックミラー３５、プリズム１５、ホールミラー１３、リレーレンズ１６、ミラー１７、受光絞り１８、コリメータレンズ１９、リングレンズ２０、撮像素子２２、等を備える。リングレンズ２０は、リング状に形成されたレンズ部と、レンズ部以外の領域に遮光用のコーティングを施した遮光部と、から構成される。リングレンズ２０は、被検眼Ｅの瞳孔と光学的に共役な位置関係となっている。受光絞り１８と撮像素子２２は、被検眼Ｅの眼底と共役な関係となっている。撮像素子２２からの出力は、制御部７０に入力される。
【００５４】
本実施例において、投影光学系１０ａが備える光源１１と、受光光学系１０ｂが備える受光絞り１８、コリメータレンズ１９、リングレンズ２０、及び撮像素子２２と、投光光学系３０が備えるディスプレイ３１と、は駆動機構３９により光軸方向に一体的に移動可能となっている。つまり、光源１１、受光絞り１８、コリメータレンズ１９、リングレンズ２０、撮像素子２２、及び、ディスプレイ３１、が駆動ユニット９５として同期し、駆動機構３９がこれらを一体的に移動させる。例えば、駆動機構３９が移動した移動位置は、図示なきポテンショメータによって検出される。
【００５５】
駆動ユニット９５は、外側のリング光束が各経線方向に関して撮像素子２２上に入射するように、他覚式測定光学系１０の一部を光軸方向に移動させる。すなわち、他覚式測定光学系１０の一部を被検眼Ｅの球面屈折誤差（球面屈折力）に応じて光軸Ｌ１方向に移動させることで、球面屈折誤差を補正し、被検眼Ｅの眼底に対して光源１１、受光絞り１８及び撮像素子２２が光学的に共役になるようにする。なお、ホールミラー１３とリングレンズ２０は、駆動ユニット９５の移動量にかかわらず、被検眼Ｅの瞳と一定の倍率で共役になるように配置されている。
【００５６】
上記の構成において、光源１１から出射された測定光束は、リレーレンズ１２、ホールミラー１３、プリズム１５、ダイクロイックミラー３５、ダイクロイックミラー２９、対物レンズ１４、を経て被検眼Ｅの眼底上にスポット状の点光源像を形成する。このとき、光軸周りに回転するプリズム１５によって、ホールミラー１３におけるホール部の瞳投影像（瞳上での投影光束）は高速に偏心回転される。眼底に投影された点光源像は、反射・散乱されて被検眼Ｅから射出し、対物レンズ１４によって集光され、ダイクロイックミラー２９、ダイクロイックミラー３５、高速回転するプリズム１５、ホールミラー１３、リレーレンズ１６、ミラー１７を介して受光絞り１８の位置に再び集光され、コリメータレンズ１９とリングレンズ２０とによって撮像素子２２にリング状の像が結像する。
【００５７】
例えば、プリズム１５は、投影光学系１０ａと受光光学系１０ｂの共通光路に配置されている。例えば、眼底からの反射光束は投影光学系１０ａと同じプリズム１５を通過するため、それ以降の光学系では、あたかも瞳孔上における投影光束・反射光束（受光光束）の偏心がなかったかのように逆走査される。
【００５８】
なお、本実施例において、他覚式測定部の構成は変更することが可能である。例えば、他覚式測定部は、瞳孔周辺部から眼底にリング状の測定指標を投影し、瞳孔中心部から眼底反射光を取り出し、撮像素子２２にリング状の眼底反射像を受光させる構成を備えていてもよい。また、他覚式測定部はシャックハルトマンセンサを備えていてもよいし、スリットを投影する位相差方式の構成を備えていてもよい。
【００５９】
＜第１指標投影光学系及び第２指標投影光学系＞
例えば、本実施例においては、第１指標投影光学系４５及び第２指標投影光学系４６が、補正光学系９０と、偏向ミラー８１との間に配置される。もちろん、第１指標投影光学系４５及び第２指標投影光学系４６の配置位置は、これに限定されない。例えば、第１指標投影光学系４５と第２指標投影光学系４６は、筐体２のカバーに備えられていてもよい。例えば、この場合には、第１指標投影光学系４５及び第２指標投影光学系４６が、呈示窓３の周囲に配置される構成が挙げられる。
【００６０】
例えば、第１指標投影光学系４５は、光軸Ｌ３を中心に配置されたリング状の赤外光源を備える。例えば、第１指標投影光学系４５は、被検眼Ｅの角膜にアライメント指標を投影するための近赤外光を発する。例えば、第２指標投影光学系４６は、第１指標投影光学系４５とは異なる位置に配置されたリング状の赤外光源を備える。なお、図２では、便宜上、第１指標投影光学系４５と第２指標投影光学系４６におけるリング状の赤外光源の一部（断面部分）のみが図示されている。本実施例において、第１指標投影光学系４５は、被検者眼の角膜に無限遠のアライメント指標を投影する。また、第２指標投影光学系４６は、被検者眼の角膜に有限遠のアライメント指標を投影する。なお、第２指標投影光学系４６から出射されるアライメント光は、観察光学系５０によって被検眼の前眼部を撮影するための前眼部撮影光としても用いられる。また、第１指標投影光学系４５および第２指標投影光学系４６の光源は、リング状の光源に限定されず、複数の点状の光源、またはライン状の光源等であってもよい。
【００６１】
＜観察光学系＞
観察光学系（撮像光学系）５０は、対物レンズ１４、ダイクロイックミラー２９、撮像レンズ５１、撮像素子５２、等を備える。ダイクロイックミラー２９は、前眼部観察光及びアライメント光を透過する。撮像素子５２は、被検眼Ｅの前眼部と略共役な位置に配置された撮像面をもつ。撮像素子５２からの出力は、制御部７０に入力される。これによって、被検眼Ｅの前眼部画像は撮像素子５２により撮像され、モニタ４上に表示される。なお、この観察光学系５０は、第１指標投影光学系４５及び第２指標投影光学系４６によって、被検眼Ｅの角膜に形成されるアライメント指標像を検出する光学系を兼ね、制御部７０によってアライメント指標像の位置が検出される。
【００６２】
＜検眼装置内部構成＞
以下、検眼装置１の内部構成について説明する。図３は、本実施例に係る検眼装置１の内部を正面方向（図１のＡ方向）から見た概略構成図である。図４は、本実施例に係る検眼装置１の内部を側面方向（図１のＢ方向）から見た概略構成図である。図５は、本実施例に係る検眼装置１の内部を上面方向（図１のＣ方向）から見た概略構成図である。なお、図４及び図５では、説明の便宜上、左眼用測定部７Ｌの光軸のみを示している。
【００６３】
例えば、検眼装置１は、自覚式測定部と、他覚式測定部と、を備える。例えば、自覚式測定部及び他覚式測定部において、測定部７からの視標光束は、光学部材（例えば、後述する凹面ミラー８５）の光軸Ｌに一致する光路を通過して被検眼Ｅに導光されてもよい。また、例えば、自覚式測定部及び他覚式測定部において、測定部７からの視標光束は、光学部材（例えば、後述する凹面ミラー８５）の光軸Ｌから外れた光路を通過して被検眼Ｅに導光されてもよい。例えば、本実施例において、光軸Ｌは凹面ミラー８５の球中心に向かう軸である。なお、以下では、測定部７からの視標光束が凹面ミラー８５の光軸Ｌから外れた経路を通過する構成を例に挙げる。すなわち、測定部７からの視標光束が凹面ミラー８５の光軸Ｌに対して斜め方向から照射され、その反射光束が被検眼Ｅに導光される。
【００６４】
例えば、自覚式測定部は、測定部７、偏向ミラー８１、駆動機構８２、駆動部８３、反射ミラー８４、凹面ミラー８５で構成される。なお、自覚式測定部はこの構成に限定されない。例えば、反射ミラー８４を有しない構成であってもよい。この場合には、測定部７からの視標光束が、偏向ミラー８１を介した後に凹面ミラー８５の光軸Ｌに対して斜め方向から照射されてもよい。また、例えば、ハーフミラーを有する構成であってもよい。この場合には、測定部７からの視標光束を、ハーフミラーを介して凹面ミラー８５の光軸Ｌに対して斜め方向に照射し、その反射光束を被検眼Ｅに導光してもよい。なお、本実施例では凹面ミラー８５を配置しているが、凹面ミラー８５ではなく、凸レンズを配置した構成であってもよい。
【００６５】
例えば、他覚式測定部は、測定部７、偏向ミラー８１、反射ミラー８４、凹面ミラー８５で構成される。なお、他覚式測定部はこの構成に限定されない。例えば、反射ミラー８４を有しない構成であってもよい。この場合には、測定部７からの視標光束が、偏向ミラー８１を介した後に凹面ミラー８５の光軸Ｌに対して斜め方向から照射されてもよい。また、例えば、ハーフミラーを有する構成であってもよい。この場合には、測定部７からの視標光束を、ハーフミラーを介して凹面ミラー８５の光軸Ｌに対して斜め方向に照射し、その反射光束を被検眼Ｅに導光してもよい。なお、本実施例では凹面ミラー８５を配置しているが、凹面ミラー８５ではなく凸レンズを配置した構成であってもよい。
【００６６】
例えば、検眼装置１は、左眼用駆動部９Ｌと右眼用駆動部９Ｒとを有し、左眼用測定部７Ｌ及び右眼用測定部７ＲをそれぞれＸ方向に移動することができる。例えば、左眼用測定部７Ｌ及び右眼用測定部７Ｒが移動されることによって、偏向ミラー８１と測定部７との間の距離が変更され、Ｚ方向における視標光束の呈示位置が変更される。これによって、矯正光学系６０によって矯正された視標光束を被検眼Ｅに導光し、矯正光学系６０によって矯正された視標光束の像が被検眼Ｅの眼底に形成されるように、測定部７をＺ方向に調整することができる。
【００６７】
例えば、偏向ミラー８１は、左右一対にそれぞれ設けられた、右眼用の偏向ミラー８１Ｒと左眼用の偏向ミラー８１Ｌとを有する。例えば、偏向ミラー８１は、矯正光学系６０と被検眼Ｅとの間に配置される。すなわち、本実施例における矯正光学系６０は、左右一対に設けられた左眼用矯正光学系と右眼用矯正光学系とを有しており、左眼用の偏向ミラー８１Ｌは左眼用矯正光学系と左被検眼ＥＬの間に配置され、右眼用の偏向ミラー８１Ｒは右眼用矯正光学系と右被検眼ＥＲの間に配置される。例えば、偏向ミラー８１は、瞳の共役位置に配置されることが好ましい。
【００６８】
例えば、左眼用の偏向ミラー８１Ｌは、左眼用測定部７Ｌから投影される光束を反射し、左被検眼ＥＬに導光する。また、例えば、左眼用の偏向ミラー８１Ｌは、左被検眼ＥＬで反射された反射光を反射し、左眼用測定部７Ｌに導光する。例えば、右眼用の偏向ミラー８１Ｒは、右眼用測定部７Ｒから投影される光束を反射し、右被検眼ＥＲに導光する。また、例えば、右眼用の偏向ミラー８１Ｒは、右被検眼ＥＲで反射された反射光を反射し、右眼用測定部７Ｒに導光する。なお、本実施例においては、測定部７から投影される光束を反射し、被検眼Ｅに導光する偏向部材として、偏向ミラー８１を用いる構成を例に挙げて説明しているがこれに限定されない。偏向部材は、測定部７から投影される光束を反射し、被検眼Ｅに導光する偏向部材であればよい。例えば、偏向部材としては、プリズムやレンズ等が挙げられる。
【００６９】
例えば、駆動機構８２は、モータ（駆動部）等からなる。例えば、駆動機構８２は、左眼用の偏向ミラー８１Ｌを駆動するための駆動機構８２Ｌと、右眼用の偏向ミラー８１Ｒを駆動するための駆動機構８２Ｒと、を有する。例えば、駆動機構８２の駆動によって、偏向ミラー８１は回転移動する。例えば、駆動機構８２は、水平方向（Ｘ方向）の回転軸、及び鉛直方向（Ｙ方向）の回転軸に対して偏向ミラー８１を回転させる。すなわち、駆動機構８２は偏向ミラー８１をＸＹ方向に回転させる。なお、偏向ミラー８１の回転は、水平方向又は鉛直方向の一方であってもよい。
【００７０】
例えば、駆動部８３は、モータ等からなる。例えば、駆動部８３は、左眼用の偏向ミラー８１Ｌを駆動するための駆動部８３Ｌと、右眼用の偏向ミラー８１Ｒを駆動するための駆動部８３Ｒと、を有する。例えば、駆動部８３の駆動によって、偏向ミラー８１はＸ方向に移動する。例えば、左眼用の偏向ミラー８１Ｌ及び右眼用の偏向ミラー８１Ｒが移動されることによって、左眼用の偏向ミラー８１Ｌ及び右眼用の偏向ミラー８１Ｒとの間の距離が変更され、被検眼Ｅの瞳孔間距離にあわせて、左眼用光路と右眼用光路との間のＸ方向における距離を変更することができる。
【００７１】
なお、例えば、偏向ミラー８１は、左眼用光路と右眼用光路とのそれぞれにおいて複数設けられてもよい。例えば、左眼用光路と右眼用光路とのそれぞれにおいて、２つの偏向ミラーが設けられる（例えば、左眼用光路で２つの偏向ミラー等）構成が挙げられる。この場合、一方の偏向ミラーがＸ方向に回転され、他方の偏向ミラーがＹ方向に回転されてもよい。例えば、偏向ミラー８１が回転移動されることによって、矯正光学系６０の像を被検眼の眼前に形成するためのみかけの光束を偏向させることにより、像の形成位置を光学的に補正することができる。
【００７２】
例えば、凹面ミラー８５は、右眼用測定部７Ｒと左眼用測定部７Ｌとで共有される。例えば、凹面ミラー８５は、右眼用矯正光学系を含む右眼用光路と、左眼用矯正光学系を含む左眼用光路と、で共有される。すなわち、凹面ミラー８５は、右眼用矯正光学系を含む右眼用光路と、左眼用矯正光学系を含む左眼用光路と、を共に通過する位置に配置されている。もちろん、凹面ミラー８５は、右眼用光路と左眼用光路とで共有される構成でなくてもよい。すなわち、右眼用矯正光学系を含む右眼用光路と、左眼用矯正光学系を含む左眼用光路と、でそれぞれ凹面ミラーが設けられる構成であってもよい。例えば、凹面ミラー８５は、矯正光学系を通過した視標光束を被検眼Ｅに導光し、矯正光学系を通過した視標光束の像を被検眼Ｅの眼前に形成する。なお、本実施例においては凹面ミラー８５を用いる構成を例に挙げて説明したが、これに限定されず、種々の光学部材を用いることができる。例えば、光学部材としては、レンズや平面ミラー等を用いることができる。
【００７３】
例えば、凹面ミラー８５は、自覚式測定部と、他覚式測定部と、で兼用される。例えば、自覚式測定光学系２５から投影された視標光束は、凹面ミラー８５を介して、被検眼Ｅに投影される。例えば、他覚式測定光学系１０から投影された測定光は、凹面ミラー８５を介して、被検眼Ｅに投影される。また、例えば、他覚式測定光学系１０から投影された測定光の反射光は、凹面ミラー８５を介して、他覚式測定光学系１０の受光光学系１０ｂに導光される。なお、本実施例においては、他覚式測定光学系１０による測定光の反射光が、凹面ミラー８５を介して、他覚式測定光学系１０の受光光学系１０ｂに導光される構成を例に挙げているがこれに限定されない。例えば、他覚式測定光学系１０による測定光の反射光は、凹面ミラー８５を介さない構成であってもよい。
【００７４】
より詳細には、例えば、本実施例においては、自覚式測定部における凹面ミラー８５から被検眼Ｅまでの間の光軸と、他覚式測定部における凹面ミラー８５から被検眼Ｅまでの間の光軸と、が少なくとも同軸で構成されている。例えば、本実施例においては、ダイクロイックミラー３５によって、自覚式測定光学系２５の光軸Ｌ２と他覚式測定光学系１０の光軸Ｌ１とが合成され、同軸となっている。
【００７５】
＜自覚式測定部の光路＞
以下、自覚式測定部の光路について説明する。例えば、自覚測定部は、矯正光学系６０を通過した視標光束を、凹面ミラー８５によって被検眼方向に反射することで被検眼Ｅに視標光束を導光し、矯正光学系６０を通過した視標光束の像を光学的に所定の検査距離となるように被検眼Ｅの眼前に形成する。例えば、このとき、矯正光学系６０を通過した視標光束は、凹面ミラー８５の光軸Ｌから外れた光路を通過して凹面ミラー８５へ入射し、凹面ミラー８５の光軸Ｌから外れた光路を通過するように反射されて、被検眼Ｅに導光される。例えば、被検者から見た視標は、被検眼Ｅからディスプレイ３１までの実際の距離よりも遠方にあるように見える。すなわち、凹面ミラー８５を用いることで被検眼Ｅに対する視標の呈示距離を延長し、所定の検査距離の位置に視標光束の像が見えるように、被検者に視標を呈示することができる。
【００７６】
より詳細に説明する。なお、以下の説明においては左眼用光路を例に挙げて説明するが、右眼用光路においても左眼用光路と同様の構成となっている。例えば、左眼用の自覚測定部において、左眼用測定部７Ｌのディスプレイ３１から投影された視標光束は、投光レンズ３３を介して、乱視矯正光学系６３に入射する。乱視矯正光学系６３を通過した視標光束は、反射ミラー３６、ダイクロイックミラー３５、ダイクロイックミラー２９、対物レンズ１４を経由して、補正光学系９０に入射する。補正光学系９０を通過した視標光束は、左眼用測定部７Ｌから左眼用の偏向ミラー８１Ｌに向けて導光される。左眼用測定部７Ｌから出射されて左眼用の偏向ミラー８１で反射された視標光束は、反射ミラー８４により凹面ミラー８５に向けて反射される。例えば、ディスプレイ３１から出射した視標光束は、このように光学部材を経由することで左被検眼ＥＬに到達する。
【００７７】
これによって、左被検眼ＥＬの眼鏡装用位置（例えば、角膜頂点位置から１２ｍｍ程度）を基準として、矯正光学系６０により矯正された視標が左被検眼ＥＬの眼底上に形成される。従って、乱視矯正光学系６３があたかも眼前に配置されたことと、球面度数の矯正光学系（本実施例においては、駆動機構３９の駆動）による球面度数の調整が眼前で行われたことと、が等価になっており、被検者は凹面ミラー８５を介して自然な状態で視標の像を視準することができる。なお、本実施例においては、右眼用光路においても、左眼用光路と同様の構成であり、左被検眼ＥＬ及び右被検眼ＥＲの眼鏡装用位置（例えば、角膜頂点位置から１２ｍｍ程度）を基準として、左右一対の矯正光学系６０により矯正された視標が、両被検眼の眼底上に形成されるようになっている。このようにして、被検者は自然視の状態で視標を直視しつつ検者に対する応答を行い、視標が適正に見えるまで矯正光学系６０による矯正を図り、その矯正値に基づいて自覚的に被検眼の光学特性の測定を行う。
【００７８】
＜他覚式測定部の光路＞
次いで、他覚式測定部の光路について説明する。なお、以下の説明においては左眼用光路を例に挙げて説明するが、右眼用光路においても左眼用光路と同様の構成となっている。例えば、左眼用の他覚測定部において、他覚式測定光学系１０における投影光学系１０ａの光源１１から出射された測定光は、リレーレンズ１２から対物レンズ１４までを介して補正光学系９０に入射する。補正光学系９０を通過した測定光は、左眼用測定部７Ｌから左眼用の偏向ミラー８１Ｌに向けて投影される。左眼用測定部７Ｌから出射されて左眼用の偏向ミラー８１で反射された測定光は、反射ミラー８４によって凹面ミラー８５に向けて反射される。凹面ミラーによって反射された測定光は、反射ミラー８４を透過して左被検眼ＥＬに到達し、左被検眼ＥＬの眼底上にスポット状の点光源像を形成する。このとき、光軸周りに回転するプリズム１５によって、ホールミラー１３のホール部の瞳投影像（瞳上での投影光束）は高速に偏心回転される。
【００７９】
左被検眼ＥＬの眼底上に形成された点光源像の光は、反射・散乱されて被検眼Ｅを射出し、測定光が通過した光路を経由して対物レンズ１４により集光され、ダイクロイックミラー２９、ダイクロイックミラー３５、プリズム１５、ホールミラー１３、リレーレンズ１６、ミラー１７までを介する。ミラー１７までを介した反射光は、受光絞り１８の開口上で再び集光され、コリメータレンズ１９にて略平行光束（正視眼の場合）とされ、リングレンズ２０によってリング状光束として取り出され、リング像として撮像素子２２に受光される。受光したリング像を解析することによって、他覚的に被検眼Ｅの光学特性を測定することができる。
【００８０】
＜制御部＞
図６は、本実施例に係る検眼装置１の制御系を示す図である。例えば、制御部７０には、モニタ４、不揮発性メモリ７５（以下、メモリ７５）、測定部７が備える光源１１、撮像素子２２、ディスプレイ３１、撮像素子５２等の各種部材が電気的に接続されている。また、例えば、制御部７０には、駆動部９、駆動機構３９、回転機構６２ａと６２ｂ、駆動部８３、回転機構９２ａと９２ｂがそれぞれ備える図示なき駆動部が電気的に接続されている。
【００８１】
例えば、制御部７０は、ＣＰＵ（プロセッサ）、ＲＡＭ、ＲＯＭ、等を備える。例えば、ＣＰＵは、検眼装置１における各部材の制御を司る。例えば、ＲＡＭは、各種の情報を一時的に記憶する。例えば、ＲＯＭには、検眼装置１の動作を制御するための各種プログラム、各種検査のための視標データ、初期値等が記憶されている。なお、制御部７０は、複数の制御部（つまり、複数のプロセッサ）によって構成されてもよい。
【００８２】
例えば、メモリ７５は、電源の供給が遮断されても記憶内容を保持できる非一過性の記憶媒体である。例えば、メモリ７５としては、ハードディスクドライブ、フラッシュＲＯＭ、ＵＳＢメモリ、等を使用することができる。例えば、メモリ７５には、自覚式測定部及び他覚式測定部を制御するための制御プログラムが記憶されている。
【００８３】
＜制御動作＞
検眼装置１の制御動作について説明する。
【００８４】
検者は、被検者の被検眼Ｅに固視標を呈示するとともに、被検眼Ｅの角膜にアライメント指標像を投影して、被検眼Ｅと測定部７のアライメントを完了させると、被検眼Ｅに対する自覚式測定を開始する。このとき、検者は、被検眼Ｅに様々な検査視標を呈示するとともに、被検眼Ｅを様々な矯正度数で矯正し、被検者に検査視標の見え具合を確認しながら測定を進めていく。
【００８５】
被検眼Ｅには、その検査内容によって、少なくとも１つ以上の検査視標（例えば、ランドルト環視標、ひらがな視標、カタカナ視標、放射性乱視標、等）が呈示される。しかし、検者は、被検眼Ｅにこれらの検査視標を呈示した際、被検者に注視してほしい視標の位置を説明しづらく、測定を効率よく進められないことがある。一例として、被検眼Ｅに複数個のランドルト環視標を呈示した際には、左右及び上下から何番目か、あるいは、何行何列目か、等の形式で伝えなければならず煩わしい。また、一例として、被検眼Ｅに放射性乱視標を呈示した際には、数字と数字の間にある線の位置を伝えにくい。
【００８６】
そこで、本実施例では、検者が被検眼Ｅに対して呈示する検査視標において、被検眼Ｅに注視してほしい位置を強調するように、後述の識別情報を表示する。これによって、検者は、被検者に視標の位置を説明する際に識別情報を補助的に用いることができ、また、被検眼Ｅに視標を視覚的にわかりやすく呈示することができるため、自覚式測定を効率よく進めることができる。
【００８７】
以下、本実施例における自覚式測定について、詳細に説明する。
【００８８】
＜被検眼と測定部のアライメント＞
検者は、被検者に、顎を顎台５に載せて呈示窓３を観察するように指示する。また、検者は、モニタ４を操作し、被検眼Ｅを固視させるための固視標を選択する。制御部７０は、モニタ４からの入力信号に応じて、ディスプレイ３１に固視標を表示する。これによって、被検眼Ｅには固視標が投影される。
【００８９】
続いて、検者は、モニタ４を操作し、被検眼Ｅと測定部７との位置合わせ（アライメント）を開始するためのスイッチを選択する。制御部７０は、モニタ４からの入力信号に応じて、被検眼Ｅの角膜に第１指標投影光学系４５及び第２指標投影光学系４６によるアライメント指標像を投影し、アライメント指標像を用いて自動アライメントを実行する。
【００９０】
＜自覚式測定の開始＞
検者は、被検眼Ｅと測定部７とのアライメントが完了すると、被検眼に対する自覚式測定を開始する。図７は、検者が操作するモニタ４と被検者が観察するディスプレイ３１を示す図である。図７（ａ）は、検者が操作するモニタ４の一例である。本実施例では、モニタ４に、ディスプレイ３１に表示する検査視標を切り換えるための切換スイッチ２１０、ディスプレイ３１に表示する検査視標を模した検査視標画像２２０、ディスプレイ３１に表示する検査視標に対して所定の位置を指定するための指定スイッチ２３０、被検眼Ｅの矯正度数を変更するための変更スイッチ２４０、被検眼Ｅに対する自覚式測定の結果を示す測定結果画像２５０、等が表示される。図７（ｂ）は、被検眼Ｅが観察するディスプレイ３１の一例である。
【００９１】
検者は、モニタ４を操作して切換スイッチ２１０を選択し、所望の検査視標を設定する。制御部７０は、モニタ４からの入力信号に応じて、ディスプレイ３１に検査視標を表示させる。本実施例では、検査視標として、複数個のランドルト環視標Ｒａが表示される。これによって、被検眼Ｅには、検査視標（複数個のランドルト環視標Ｒａ）が投影される。
【００９２】
また、制御部７０は、ディスプレイ３１に検査視標を表示させるとともに、モニタ４に検査視標に対応する検査視標画像２２０を表示させる。本実施例では、複数個のランドルト環視標Ｒａに対応する複数個のランドルト環視標画像Ｒｂを、検査視標画像２２０として表示させる。なお、複数個のランドルト環視標Ｒａに対して、複数個のランドルト環視標画像Ｒｂは、隣り合うランドルト環視標（ランドルト環視標画像）の間隔を同比率で縮小したものとしてもよい。これによって、検者は、被検眼Ｅに対してディスプレイ３１に表示した検査視標を、モニタ４に表示される検査視標画像２２０として視認することができる。
【００９３】
また、検者は、モニタ４を操作して変更スイッチ２４０を選択し、所望の矯正度数を設定する。検者は、被検眼Ｅの光学特性（例えば、被検眼Ｅの他覚式測定における光学特性、被検眼Ｅの自覚式測定における光学特性、等）を予め取得しておき、これに基づいて所望の矯正度数を設定してもよい。制御部７０は、モニタ４からの入力信号に応じて、自覚式測定光学系２５における投光光学系３０と矯正光学系６０の少なくともいずれかを制御する。例えば、制御部７０は、ディスプレイ３１を光軸Ｌ２方向へ移動させて、被検眼Ｅの球面度数を矯正してもよい。また、例えば、制御部７０は、円柱レンズ６１ａと６１ｂを光軸Ｌ２周りに回転させて、被検眼Ｅの円柱度数と乱視軸角度の少なくともいずれかを矯正してもよい。これによって、被検眼Ｅの眼屈折度が所定のディオプタ値（例えば、０Ｄ等）に矯正されるとともに、被検眼Ｅの眼屈折度が所定のディオプタ値となる矯正度数が取得される。
【００９４】
＜識別情報の表示＞
検者は、被検者に検査視標の向き（ランドルト環視標Ｒａのすき間の向き）を問い、被検者の回答を考慮しながら、被検眼Ｅを矯正する矯正度数が適切であるかを確認する。このとき、検者は、モニタ４に表示されたランドルト環視標画像Ｒｂに対する所定の位置を指定することで、ディスプレイ３１に表示されたランドルト環視標Ｒａに対する位置（指定位置）を指定してもよい。制御部７０は、検者により指定された指定位置に基づいて、被検眼Ｅがその指定位置を識別可能とするための識別情報を、ディスプレイ３１に表示させる。
【００９５】
なお、識別情報は、ランドルト環視標Ｒａに対する指定位置に基づいて表示される記号（例えば、図形、文字、数字、等の少なくともいずれか）、ランドルト環視標Ｒａに対する指定位置の変化に連動して移動可能に表示される記号、ランドルト環視標Ｒａに対する指定位置の変化に連動して書き込まれる描画、等でもよい。ここでは、ランドルト環視標Ｒａに対する指定位置に基づいて、ランドルト環視標Ｒａを囲む図形（以下、識別マークＭａと称す）を表示する場合を例に挙げる。
【００９６】
図８は、ランドルト環視標Ｒａに対する指定位置に基づいた識別マークＭａの表示を説明する図である。図８（ａ）はモニタ４を、図８（ｂ）はディスプレイ３１を、それぞれ示している。検者は、モニタ４を操作して指定スイッチ２３０を選択し、ディスプレイ３１に識別マークＭａを表示可能なモードに切り替える。また、検者は、モニタ４を操作して、被検眼Ｅに注視を促すランドルト環視標Ｒａに対応したランドルト環視標像Ｒｂにおいて、所定の位置Ｓｂを指定する。
【００９７】
モニタ４に表示される各々のランドルト環視標画像Ｒｂには、検者がランドルト環視標画像Ｒｂに対する所定の位置Ｓｂを指定する際の許容範囲Ａが設定されていてもよい。ランドルト環視標画像Ｒｂに対する許容範囲Ａの位置、形状、及び大きさ等は、実験やシミュレーションの結果等に基づいて予め設定されてもよい。例えば、本実施例では、ランドルト環視標画像Ｒｂに対して、ランドルト環視標画像Ｒｂの中心の位置座標（ピクセル座標）を基準とした所定の径をもつ円形状の領域が、許容範囲Ａとして設定されている。
【００９８】
制御部７０は、モニタ４において、検者により指定された所定の位置Ｓｂの位置座標を特定し、所定の位置Ｓｂが許容範囲Ａ内に位置するか否かを検出する。また、制御部７０は、所定の位置Ｓｂが許容範囲Ａ内に位置することを検出した場合に、検者が所定の位置Ｓｂを識別するための検者用識別マークＭｂを、その許容範囲Ａが設定されたランドルト環視標画像Ｒｂを囲むように表示させる。
【００９９】
さらに、制御部７０は、検者がモニタ４上で指定したランドルト環視標画像Ｒｂにおける所定の位置Ｓｂに基づいて、ディスプレイ３１に表示されたランドルト環視標Ｒａにおける所定の位置Ｓａ（指定位置Ｓａ）を特定する。例えば、モニタ４における検査視標画像２２０の表示領域の位置座標と、ディスプレイ３１における検査視標の表示領域の位置座標と、の対応関係は設計上既知であるため、モニタ４上の所定の位置Ｓｂの位置座標に対応するディスプレイ３１上の位置座標を、指定位置Ｓａの位置座標として特定することができる。また、制御部７０は、指定位置Ｓａの位置座標に基づいて、被検者が指定位置Ｓａを識別するための識別マークＭａを、検者用識別マークＭｂと同様、ランドルト環視標画像Ｒｂに対応するランドルト環視標Ｒａを囲むように、ディスプレイ３１上に表示させる。
【０１００】
なお、本実施例では、検者がモニタ４に表示されたランドルト環視標画像Ｒｂのうちの１つを指定することで、ディスプレイ３１に表示された対応するランドルト環視標Ｒａに識別マークＭａを表示させる場合を例に挙げているがこれに限定されない。もちろん、検者は、モニタ４に表示されたランドルト環視標画像Ｒｂのうちの複数を指定してもよい。制御部７０は、対応する複数のランドルト環視標Ｒａに対して、各々に識別マークＭａを表示させてもよい。例えば、これによって、被検者に複数のランドルト環視標Ｒａの見え方等を問い、比較させてもよい。
【０１０１】
識別マークＭａと検者用識別マークＭｂは、これらの識別マークを消去するための入力信号に応じて、消去されるようにしてもよい。例えば、検者がモニタ４を操作して消去スイッチ２６０を選択することで信号が発せられ、ディスプレイ３１から識別マークＭｂが消去されるとともに、モニタ４から検者用識別マークＭａが消去されてもよい。
【０１０２】
上記の識別情報は、モニタ４におけるランドルト環視標Ｒａに対する指定位置Ｓａの変化に連動して、ディスプレイ３１に移動可能に表示される図形（以下、ポインタＰａと称す）であってもよい。図９は、ランドルト環視標Ｒａに対する指定位置Ｓａの変化に連動させたポインタＰａの表示を説明する図である。図９（ａ）はモニタ４を、図９（ｂ）はディスプレイ３１を、それぞれ示している。検者は、モニタ４を操作して指定スイッチ２３０を選択し、ディスプレイ３１にポインタＰａを移動表示可能なモードに切り替える。また、検者は、モニタ４を操作して、被検眼Ｅに注視を促すランドルト環視標Ｒａに対応したランドルト環視標像Ｒｂにおいて、所定の位置Ｓｂを指定する。
【０１０３】
制御部７０は、モニタ４において、検者により指定された所定の位置Ｓｂの位置座標を特定し、所定の位置Ｓｂに検者用ポインタＰｂを表示させる。また、制御部７０は、モニタ４上のランドルト環視標画像Ｒｂにおける所定の位置Ｓｂに基づいて、ディスプレイ３１に表示されたランドルト環視標Ｒａにおける指定位置Ｓａを特定し、指定位置Ｓａの位置座標に基づいて、ポインタＰａをディスプレイ３１上に表示させる。
【０１０４】
例えば、このような場合、検者が所定の位置Ｓｂを指定し、所定の位置Ｓｂを移動させることによって、検者用ポインタＰｂがモニタ４上を移動する。また、所定の位置Ｓｂの移動にともなって指定位置Ｓａが移動し、これに連動してポインタＰａがディスプレイ３１上を移動する。なお、これらのポインタは、検者がモニタ４上で所定の位置Ｓｂの指定を解除することによって（例えば、本実施例では、検者がモニタ４上からタッチペン等を離すことによって）、消去されるようにしてもよい。
【０１０５】
また、上記の識別情報は、モニタ４におけるランドルト環視標Ｒａに対する指定位置Ｓａの変化に連動して、ディスプレイ３１に書き込まれる描画（以下、描画線Ｄａと称す）であってもよい。図１０は、ランドルト環視標Ｒａに対する指定位置Ｓａの変化に連動させた描画線Ｄａの表示を説明する図である。図１０（ａ）はモニタ４を、図１０（ｂ）はディスプレイ３１を、それぞれ示している。検者は、モニタ４を操作して指定スイッチ２３０を選択し、ディスプレイ３１に描画線Ｄａを描画可能なモードに切り替える。また、検者は、モニタ４を操作して、被検眼Ｅに注視を促すランドルト環視標Ｒａに対応したランドルト環視標像Ｒｂにおいて、所定の位置Ｓｂを指定し、所定の位置Ｓｂを移動させる。
【０１０６】
制御部７０は、モニタ４において、検者により指定された所定の位置Ｓｂの位置座標を特定し、所定の位置Ｓｂの変化に連動させて、検者用描画線Ｄｂをモニタ４上に描く。また、制御部７０は、所定の位置Ｓｂの変化にともなって指定位置Ｓａを移動させ、指定位置Ｓａの変化に連動させて、描画線Ｄａをディスプレイ３１上に描く。なお、これらの描画線は、検者がモニタ４上で消去スイッチ２６０を選択することで、消去されるようにしてもよい。
【０１０７】
例えば、このように、被検眼に呈示した検査視標に対して識別情報（すなわち、識別マークＭａ、ポインタＰａ、描画線Ｄａ、等）を表示させることで、検者は被検者に「この視標はどちらの方向に開いていますか」等と容易に質問することができる。検者は、被検眼Ｅを矯正する矯正度数が不適切であれば、矯正度数を変更し、識別情報を表示させて質問を繰り返しながら、その矯正度数が適切であるかを確認する。制御部７０は、検者が適切と判断した矯正度数を、自覚式測定における被検眼Ｅの光学特性（自覚値）として取得する。また、制御部７０は、自覚式測定の測定結果をメモリ７５に記憶させるとともに、自覚式測定の測定結果を示す測定結果画像２５０をモニタ４に表示させる。
【０１０８】
以上説明したように、例えば、本実施例における自覚式検眼装置は、被検眼に視標を表示する視標表示手段と、検者が操作する操作手段であって、視標表示手段の画面上に表示された少なくとも１つ以上の視標に対して、視標のうちの所定の位置を指定するための操作手段と、を備え、検者による操作手段の操作で指定された所定の位置に基づいて、所定の位置に関する識別を被検者が行うための識別情報を、視標表示手段に表示させる。これによって、検者は、被検者に視標の位置を説明する際、識別情報を補助的に用いて、注視してほしい視標等を容易に伝えることができる。また、検者は、被検眼に視標を視覚的にわかりやすく呈示することができる。このため、自覚式測定が効率的に進められる。
【０１０９】
また、例えば、本実施例における自覚式検眼装置において、操作手段は、視標表示手段の画面上に表示された少なくとも１つ以上の視標に対応する対応情報を表示可能な操作用表示手段を有する。検者は、操作手段を操作するとともに、その操作用表示手段で対応情報を容易に確認することができるため、操作性が向上し、自覚式測定がより効率的に進められる。
【０１１０】
また、例えば、本実施例における自覚式検眼装置において、視標表示手段の画面上に表示された少なくとも１つ以上の視標に対応する対応情報は、視標を模した操作用視標画像である。つまり、被検者が観察する視標に基づいて、検者が観察する操作用視標画像が作製され、操作用表示手段に表示される。検者と被検者がともに視標を観察することになるため、検者は被検者に対して視標の位置等を説明しやすくなる。
【０１１１】
また、例えば、本実施例における自覚式検眼装置において、操作用表示手段は、視標表示手段の画面上に表示された少なくとも１つ以上の視標に基づいて、少なくとも１つ以上の視標と同一の視標画像を、操作用視標画像として表示する。検者は、被検者が観察する視標と、検者が観察する操作用視標画像と、が共通化されることで、識別情報を表示させる際に直観的な操作ができる。
【０１１２】
また、例えば、本実施例における自覚式検眼装置において、表示制御手段は、検者による操作手段の操作によって所定の位置が指定されたことに連動して、識別情報を視標表示手段に表示させる。すなわち、検者による所定の位置の指定に対して、所定の位置に基づく識別情報の表示がリアルタイムに行われる。これによって、検者は、被検者への説明に合わせて識別情報を表示させることができ、自覚式測定を効率的に進めることができる。
【０１１３】
また、例えば、本実施例における自覚式検眼装置において、表示制御手段は、さらに、検者による操作手段の操作により指定された対応情報に基づいて、検者が所定の位置を識別するための検者用識別情報を、操作用表示手段に表示させる。これによって、検者は、どの視標に対して位置を指定し、識別情報を表示させたかを容易に把握することができる。
【０１１４】
また、例えば、本実施例における自覚式検眼装置において、識別情報は、所定の位置を強調するための情報である。例えば、所定の位置に配置される記号、所定の位置の変化に応じて移動するポインタ、所定の位置の変化に応じて書き込まれる描画、等の少なくともいずれかを含む情報でもよい。これによって、識別情報を視覚的にわかりやすく表示することができる。
【０１１５】
また、例えば、本実施例における自覚式検眼装置は、被検眼の光学特性を自覚的に測定するための自覚式測定手段であって、被検眼に向けて視標表示手段から出射された視標光束を投光する投光光学系と、投光光学系の光路中に配置され、視標光束の光学特性を変化させる矯正光学系と、を有する自覚式測定手段を備え、視標表示手段と、自覚式測定手段における少なくとも投光光学系とが筐体内に収納されている。検者は被検者に表示した視標を直接的に確認することはできないが、操作用表示手段を介して視標を間接的に確認可能な構成とすることで、識別情報の表示位置等が判断しやすくなり、視標の位置等をより容易に伝えることができるようになる。
【０１１６】
＜変容例＞
なお、本実施例では、検眼装置１に設けられたモニタ４に、検査視標画像２２０等が表示される構成を例に挙げて説明したがこれに限定されない。例えば、検眼装置１に有線通信（例えば、光ファイバー、有線ＬＡＮ、等）または無線通信（例えば、Wi-Fi（登録商標）、Bluetooth（登録商標）、等）を介して接続されたモニタに、検査視標画像２２０等を表示する構成としてもよい。一例として、検眼装置１を操作するための操作部と、検眼装置１を操作するための操作画面を表示する表示部と、を有するコントローラを用いて、コントローラの表示部に、検査視標画像２２０等を表示する構成としてもよい。
【０１１７】
なお、本実施例では、ディスプレイ３１に表示した検査視標に対応する同一の検査視標画像２２０をモニタ４に表示させる構成を例に挙げて説明したがこれに限定されない。例えば、ディスプレイ３１に表示した検査視標の一部に対応する検査視標画像をモニタ４に表示させる構成としてもよい。この場合、ディスプレイ３１に表示した複数個のランドルト環視標Ｒａのうち、所定の行、所定の列、等に対応するランドルト環視標画像Ｒｂのみを選択して、モニタ４に表示させてもよい。このような構成とすることで、検者は、モニタ４に表示された必要な検査視標画像に対して所定の位置Ｓｂを指定し、所定の位置Ｓｂに応じた指定位置Ｓａに基づいてディスプレイ３１に識別情報を表示させることができるため、誤操作や誤選択の可能性が軽減される。
【０１１８】
なお、本実施例では、検者による消去スイッチ２６０の選択によって、識別情報（例えば、識別マークＭａ）が消去される構成を例に挙げて説明したがこれに限定されない。例えば、検者がモニタ４を操作して切換スイッチ２１０を選択したとき（つまり、被検眼Ｅに呈示する検査視標を切り換えたとき）、識別マークＭａが表示されてから一定時間が経過したとき、等の少なくともいずれかのタイミングで、識別マークＭａを消去するための信号が発せられ、ディスプレイ３１から識別マークＭａが消去されてもよい。
【０１１９】
また、本実施例では、検者による消去スイッチ２６０の選択によって、識別情報（例えば、識別マークＭａ）が消去されるとともに、検者用の識別情報（例えば、検者用識別マークＭｂ）が消去される構成を例に挙げて説明したがこれに限定されない。本実施例では、少なくとも識別マークＭａが消去される構成であればよく、必ずしも識別マークＭａと検者用識別マークＭｂを同時に消去する構成でなくてもよい。例えば、この場合には、識別情報を消去するための消去スイッチ２６０と、検者用の識別情報を消去するための消去スイッチと、を設けてもよい。検者が各々のスイッチを操作することで、ディスプレイ３１から識別マークＭａが消去され、モニタ４から検者用識別マークＭｂが消去されてもよい。
【０１２０】
なお、本実施例では、モニタ４におけるランドルト環視標画像Ｒｂに対する所定の位置Ｓｂの変化に連動させて、ディスプレイ３１に描画を書き込む際、所定の位置Ｓｂの変化にともなう指定位置Ｓａの変化に応じて、線を書き込むことが可能な構成を例に挙げて説明したがこれに限定されない。もちろん、書き込み可能な線は、直線、曲線、等の少なくともいずれかであってもよいし、線とは異なる描画（一例として、三角形、四角形、円形、楕円形、等の図形）が書き込み可能であってもよい。このような場合、モニタ４に描画を書き込むためのツール選択ボタンが表示され、検者が所定のツール選択ボタンを選択し、各々の描画を書き込むような構成としてもよい。一例として、ツール選択ボタンが、形状、大きさ、色、等の少なくともいずれかが異なる図形を指定するためのボタンを含んでいてもよい。検者は、所定のツール選択ボタンを選択し、各々の図形をランドルト環視標画像Ｒｂ上に移動させることで、各々の描画を書き込むような構成としてもよい。
【０１２１】
なお、本実施例では、検者がモニタ４上のランドルト環視標画像Ｒｂにおける所定の位置Ｓｂを指定することによって、ディスプレイ３１上のランドルト環視標Ｒａにおける指定位置Ｓａが指定され、これに連動して識別情報が表示される構成を例に挙げて説明したがこれに限定されない。例えば、指定位置Ｓａが指定された後、識別情報を表示させるための入力信号に応じて、ディスプレイ３１上に識別情報が表示される構成としてもよい。一例として、検者がモニタ４を操作して識別情報を表示させるためのスイッチを選択することで信号が発せられ、ディスプレイ３１に識別情報が表示されてもよい。
【０１２２】
なお、本実施例では、検眼装置１が、被検眼に検査視標を表示するディスプレイ３１と、被検眼に表示した検査視標に対応する検査視標画像（すなわち、検査視標画像２２０）を表示するモニタ４と、を備える構成を例に挙げて説明したがこれに限定されない。例えば、検眼装置１は、被検眼に検査視標を表示するディスプレイのみを備える構成であってもよい。この場合、検眼装置１は、被検眼に検査視標を表示するディスプレイの他、ディスプレイの画面上に表示された少なくとも１つ以上の検査視標に対する位置を指定することが可能な操作部（例えば、マウス等）を備え、検者による操作部の操作で指定された指定位置に基づいて、ディスプレイに識別情報を表示するようにしてもよい。すなわち、検者は、被検者と同一のディスプレイ（同一の検査視標）を観察しながら、被検眼Ｅに注視してほしい視標に対して識別情報を表示させる構成であってもよい。
【０１２３】
なお、本実施例では、検者がモニタ４を操作することで、ディスプレイ３１におけるランドルト環視標Ｒａに識別マークＭａが表示される場合を例に挙げて説明したがこれに限定されない。例えば、このように検者の操作によって識別マークＭａが表示された後、識別マークＭａの表示位置が自動的に移動するように、ディスプレイ３１が制御されてもよい。一例として、識別マークＭａが表示されたランドルト環視標Ｒａがもつ視力値よりも高い視力値の視標、あるいは、低い視力値の視標、等に識別マークＭａの表示位置が順に移動するようにしてもよい。なお、識別マークＭａの表示位置の移動は、検者による操作信号の入力、被検者の回答の有無、等に基づいて行われてもよい。もちろん、このような構成とする際には、ディスプレイ３１における識別マークＭａの移動に連動して、モニタ４に表示される検者用識別マークＭｂがともに移動されてもよい。
【０１２４】
なお、本実施例では、被検眼の片眼に対して検査視標（複数のランドルト環視標Ｒａ）を表示し、必要に応じて識別マークＭａを表示させる構成を例に挙げて説明したがこれに限定されない。例えば、被検眼の両眼に対して検査視標を表示し、必要に応じて識別マークＭａを表示させる構成としてもよい。なお、左眼に表示されるランドルト環視標Ｒａと、右眼に表示されるランドルト環視標Ｒａと、は同一視標である。
【０１２５】
この場合、左眼に表示されたランドルト環視標Ｒａに対応するランドルト環視標画像Ｒｂ（以下、左眼用ランドルト環視標画像Ｒｂ）と、右眼に表示されたランドルト環視標Ｒａに対応するランドルト環視標画像Ｒｂ（以下、右眼用ランドルト環視標画像Ｒｂ）と、がモニタ４に表示されてもよい。一例として、モニタ４の画面が、左眼用ランドルト環視標画像Ｒｂを表示する領域と、右眼用ランドルト環視標画像Ｒｂを表示する領域と、に２分割されてもよい。
【０１２６】
例えば、検者は、左眼用ランドルト環視標画像Ｒｂに対して、所定の位置Ｓｂを指定してもよい。制御部７０は、所定の位置Ｓｂに応じて、左眼用ランドルト環視標画像Ｒｂに検者用識別マークＭｂを表示させるとともに、右眼用ランドルト環視標画像Ｒｂの同位置にも、検者用識別マークＭｂを表示させてもよい。また、制御部７０は、ディスプレイ３１において、左眼に表示されたランドルト環視標Ｒａと、右眼に表示されたランドルト環視標Ｒａと、の各々に、識別マークＭａを表示させてもよい。つまり、検者が左眼用ランドルト環視標画像Ｒｂと右眼用ランドルト環視標画像Ｒｂとのいずれか一方を指定することで、他方が連動して、モニタ４に検者用識別マークＭｂが表示されるとともに、ディスプレイ３１に識別マークＭａが表示されてもよい。
【符号の説明】
【０１２７】
１  検眼装置
２  筺体
４  モニタ
５  顎台
７  測定部
１０  他覚式測定光学系
２５  自覚式測定光学系
３０  投光光学系
４５  第１指標投影光学系
４６  第２指標投影光学系
５０  観察光学系
６０  矯正光学系
７０  制御部
７５  メモリ
９０  補正光学系
１００  前眼部撮像光学系
【図１】
2020179056.tif 000003
【図２】
2020179056.tif 000004
【図３】
2020179056.tif 000005
【図４】
2020179056.tif 000006
【図５】
2020179056.tif 000007
【図６】
2020179056.tif 000008
【図７】
2020179056.tif 000009
【図８】
2020179056.tif 000010
【図９】
2020179056.tif 000011
【図１０】
2020179056.tif 000012